(57)【要約】【目的】合成樹脂製の内枠の強度を効率的に補強すること。【構成】背面に遊技盤収納部（３）を一体に有する合成樹脂製の内枠本体（１）の左辺部の上下にヒンジ部材取付部（１４，１５）を形成し、該取付部にヒンジ軸（１０）若しくはヒンジ軸受（１２）を有する金属製のヒンジ部材（５，６）を添わせる。そして、金属製の補強材（７）の上下両端に設ける上下の連結補強片（１６，１７）を前記ヒンジ部材（５，６）に添わせ、該ヒンジ部材と前記補強片に形成する取付穴（２１，２２）に止めねじ（８，）を貫通する如く通して前記取付部に形成するねじ受け孔（２３，２４）にねじ付け固着し、且つ前記補強材（７）の長さの途中を前記内枠本体（１）の左辺部にねじ止めして前記ヒンジ部材と共に補強材を前記内枠本体の左辺部に一体に固着する。      【選択図】図３
2007229045.tif 000002
【特許請求の範囲】
【請求項１】
額縁形に形成される主体部の背面に箱形の遊技盤収納部を一体に備える合成樹脂製の内枠本体と、内枠本体の前記主体部の左辺部上下に形成されるヒンジ部材の取付部と、この上下の取付部に取付けるヒンジ軸若しくはヒンジ軸受を有する金属製の上下のヒンジ部材と、前記内枠本体の左辺部に沿って上下両端部間に延びると共に上下両端部に前記ヒンジ部材に添わせる上下の連結補強片を一体に有する金属製の連結補強材とを有し、前記内枠本体の上下の取付部には前記上下のヒンジ部材並びに該ヒンジ部材に添わせる前記連結補強片に各形成する取付穴に連通させてねじ受け孔を形成し、該ねじ受け孔に前記取付穴を通してねじ付ける止めねじにより前記連結補強片並びにヒンジ部材を一体にねじ止めし連結する一方、前記連結補強材の長さの適所を前記内枠本体の左辺部にねじ止めして内枠本体に前記上下のヒンジ部材と共に前記連結補強材を一体に組付け、固定することを特徴とした合成樹脂を材料に成形されるパチンコ遊技機の内枠。
【請求項２】
請求項１の記載において、上下のヒンジ部材は鉄片を各Ｌ字形に形成し、上のヒンジ部材はその一片を取付片にして内枠本体の上の取付部に添わせ、水平に突き出す他片には上面にヒンジ軸を植設し、また下のヒンジ部材はその一片を取付片にして内枠本体の下の取付部に添わせ、水平に突き出す他片は軸受片にしてヒンジ軸受を設けることを特徴とした合成樹脂を材料に成形されるパチンコ遊技機の内枠。
【請求項３】
請求項１の記載において、連結補強材は帯状の鉄片を断面Ｌ字形に曲成し、一片を内枠本体の遊技盤収納部の左辺側面部に、他片を左辺背面部に各添わせると共に、該他片の適所を遊技盤収納部の左辺背面部にねじ止め固定することを特徴とした合成樹脂を材料に成形されるパチンコ遊技機の内枠。
【請求項４】
請求項２又は３の記載において、内枠本体に設ける上下の取付部と上下のヒンジ部材の取付片と連結補強材の上下の連結補強片とはそれぞれ上と下において止めねじを貫通状に挿通し、ねじ止めして重ね合せ状態に一体に固定することを特徴とした合成樹脂を材料に成形されるパチンコ遊技機の内枠。  
【発明の詳細な説明】
【技術分野】
【０００１】
本発明は、パチンコ遊技機の内枠、更に詳しくは合成樹脂を材料に一体的に形成されるパチンコ遊技機の内枠に関する。
【背景技術】
【０００２】
合成樹脂を材料にしたパチンコ遊技機の内枠は、金型によって一体成形することが可能であり、量産できること、また製品精度を均一に揃えることができること等の利点があることから、従来の木製の枠に金属板をプレス成形して作った機構枠体を組付けて完成させる木製内枠から合成樹脂製内枠に徐々に替ろうとしている。
ことに、この合成樹脂を材料にする内枠は、金型による量産化と共に、複雑な構造を一体的に成形することが可能であること、そして部品等の取付部も予め設けておくことができる点で優れている。
しかしその反面、内枠全体を一体成形すると、大型化に伴って成形時の歪みが発生し、寸法上の誤差が生ずることがあり、特に問題となる点は強度不足によって変形したり、時には破損すると言った問題を起すことである。
【０００３】
強度不足は合成樹脂製品の問題点であるが、内枠においてはこれを支持する左辺部のヒンジ部に集中して現れ、支持機能を失うと共に荷重の集中によって内枠全体が変形すると言った問題がある。
一般に内枠を合成樹脂製品とする場合、強度の関係から外枠に対して枢着するヒンジ部には金属製のヒンジ部材を取付けてこれを支持する方法が採られるが、内枠左辺の上下に取付けられるヒンジ部材はねじ止め等によって堅固に取付けられても、基礎になる取付部が合成樹脂そのものであるため金属の強度を得ることができず、１０ｋｇを超える内枠全体の重量を変形することなく、或は損傷を受けることなく支持することはかなり困難である。
【０００４】
この様なことから、従来から合成樹脂製内枠の補強方法が種々試みられているが、内枠全体を合成樹脂とした場合、木製枠による従来の内枠のような強度を出すことは容易なことではない。しかし、合成樹脂の成形性等の特性は極めて魅力的なものであり、従来からこの特性を活かしながら、特にその不足する強度を金属枠を組合せることによって補強すると言った解決方法が色々試されている。例えば、特許文献１に示される内枠の提案がその一例である。
【特許文献１】特開２００３−１１１９３３号公報。
【０００５】
上記特許文献１に記載される内枠（中枠１０）は、プラスチックを材料に成形される上辺部材３０と下辺部材５０、そして金属材を以て成形される左縦辺部材７０と右縦辺部材９０の４つの部材を矩形に組合せて内枠とするもので、強度のある上記金属材からなる左縦辺部材７０の上下両端にヒンジ部となる上ヒンジ軸パーツ７２と下ヒンジ軸受パーツ７３を一体に設けてこれらのパーツを介して外枠に組付け、支持させる構造としている。
【０００６】
つまり、ここでは内枠の一部に合成樹脂材料を利用するもので、内枠全体を合成樹脂を材料に成形するものとはしていないが、上辺部材３０と下辺部材５０を合成樹脂にして、左右の縦辺部材７０，９０を金属材にして、この金属材部分によって内枠の必要強度を出すようにしている。そして、更に最も荷重の掛るヒンジ部を金属材である左縦辺部材７０に設けることで強度を出し、歪による変形や強度不足による破損を回避するものとしているのである。
【０００７】
しかし、この特許文献１に記載の内枠は、金属製の左右の縦辺部材７０，９０を組入れることによって所要の強度を得ることができるにしても、合成樹脂の成形性を全体に利用するものとはなっていない。また、この内枠の成形においては合成樹脂製の上辺部材３０と下辺部材５０を金属製の左右の縦辺部材７０，９０によって継ぎ合わせて形成するものとすることから素材を異にする２つの部材の連結組立加工を通して成形する必要がある。
このため、連結組立に伴う製造性の低下に併せて、最終的に４つの分割された部材３０，５０，７０，９０を継ぎ合せることに伴って寸法精度が低下すること、更には強度も落ちる問題がある。
【発明の開示】
【発明が解決しようとする課題】
【０００８】
本発明は、上述従来の事情に鑑み合成樹脂を材料に成形されるパチンコ遊技機の内枠にあって、内枠の全体を合成樹脂を材料に一体成形し、これにより内枠を構成する細部の複雑な部分も同時に成形することを可能にすると共に、この内枠の本体部分の最も強度が求められる部分について金属製の補強手段によって補強し、内枠全体の強度を保つと同時に、この補強手段の内枠本体部分に対する取付けを適切且つ簡潔に行えるようにしてその製造性を高めるようにしたことにある。
【０００９】
ことに、本発明は内枠に求められる基本的構成部分を合成樹脂材料による金型成形によって一体的に形成し、精度の高い構造体にしてパチンコ遊技機に組付けられる主要部品類の組込みを容易にする一方、この内枠が外枠から開放されたとき内枠の全重量が集中するヒンジ部を補強し、これの破損等を防止するようにしたことにある。
【００１０】
また更に、本発明は、上記ヒンジ部の補強に併せて、内枠の枢着側の上下に位置するヒンジ部が合成樹脂を材料に形成される内枠本体部分の歪み、変形により寸法誤差を生じ、これによって外枠に設置するヒンジ部との不整合を生じて結合不能になるのを未然に解消し、ヒンジ部相互の連結組合せを確実に行えるようにしたことになる。
【課題を解決するための手段】
【００１１】
本発明は上述した課題を解決するため額縁形に形成される主体部の背面に箱形の遊技盤収納部を一体に備える合成樹脂製の内枠本体と、内枠本体の前記主体部の左辺部上下に形成されるヒンジ部材の取付部と、この上下の取付部に取付けるヒンジ軸若しくはヒンジ軸受を有する金属製の上下のヒンジ部材と、前記内枠本体の左辺部に沿って上下両端部間に延びると共に上下両端部に前記ヒンジ部材に添わせる上下の連結補強片を一体に有する金属製の連結補強材とを有し、前記内枠本体の上下の取付部には前記上下のヒンジ部材並びに該ヒンジ部材に添わせる前記連結補強片に各形成する取付穴に連通させてねじ受け孔を形成し、該ねじ受け孔に前記取付穴を通してねじ付ける止めねじにより前記連結補強片並びにヒンジ部材を一体にねじ止めし連結する一方、前記連結補強材の長さの適所を前記内枠本体の左辺部にねじ止めして内枠本体に前記上下のヒンジ部材と共に前記連結補強材を一体に組付け、固定することを特徴とした合成樹脂を材料に成形されるパチンコ遊技機の内枠を提供するものである。
【００１２】
本発明に係る上記内枠は、主体部とこの主体部の背面に設けられる遊技盤収納部とを合成樹脂を材料にして一体に形成し、内枠本体とする一方、この内枠本体に対して上下のヒンジ部材に添わせる補強連結片を一体に有する補強材を金属材によって成形し、この補強材を内枠本体に組付けることによって、合成樹脂を材料とした内枠本体を補強することにある。
【００１３】
その一方、この内枠本体において最も強度が求められる左辺の上下のヒンジ部材を補強材に備える上記連結補強片によって補強し、これによりヒンジ部材の固定の強度を出すと共に、補強材を通して固定することによって上下のヒンジ部材に作用する荷重を内枠本体の左辺全体に分散し、荷重の集中による破損を回避することにある。
【００１４】
そして、本発明は上下のヒンジ部材を補強材を介して連結することによって上下において相対する状態に設定すると同時に、両ヒンジ部材間の間隔を一定に保持することによって、この両者間の距離を一定にし、外枠に設備される上下のヒンジ部材との位置を常に一定に揃えられるようにして連結組合せを確実に行えるようにしてある。
【００１５】
上記補強材については、帯状の金属板をプレス成形によって曲成し、断面をＬ字形乃至はクランク状に折り曲げることで全体的に棒状に形成し、これにより所要の強度を出すことができる。更には、この折曲げによって内枠本体の側面に適合した形状にしてこれに固着する際にその一体化を図ることができる。
尚、この補強材の上下両端に設ける連結補強片は上記プレス成形の際に一体的に形成することになる。
【００１６】
上記連結補強片は別に金属材によって形成するヒンジ部材の取付片に対応して形成し、前記プレス成形に当って、上記ヒンジ部材の取付片に形成する取付穴に対応する位置にねじ止めのねじを通す取付孔を開設しておくことになる。
【００１７】
一方、本発明は上記内枠において、前記上下のヒンジ部材は鉄片を各Ｌ字形に形成し、上のヒンジ部材はその一片を取付片にして内枠本体の上の取付部に添わせ、水平に突き出す他片には上面にヒンジ軸を植設し、また下のヒンジ部材はその一片を取付片にして内枠本体の下の取付部に添わせ、水平に突き出す他片は軸受片にしてヒンジ軸受を設けることを特徴とした合成樹脂を材料に成形されるパチンコ遊技機の内枠を提供することにある。
【００１８】
また本発明は、前記連結補強材は帯状の鉄片を断面Ｌ字形に曲成し、一片を内枠本体の遊技盤収納部の左辺側面部に、他片を左辺背面部に各添わせると共に、該他片の適所を遊技盤収納部の左辺背面部にねじ止め固定することを特徴とした合成樹脂を材料に成形されるパチンコ遊技機の内枠を提供することにある。
【００１９】
また本発明は、前記内枠本体に設ける上下の取付部と上下のヒンジ部材の取付片と連結補強材の上下の連結補強片はそれぞれ上と下において形状を揃え、止めねじを貫通状に挿通しねじ付けることで重合した状態で一体に固定することを特徴とした合成樹脂を材料に成形されるパチンコ遊技機の内枠を提供することにある。
【発明の効果】
【００２０】
上記本発明によれば、内枠本体を合成樹脂を材料に一体成形できることから遊技盤収納部を含む主要な部品類の取付部を所定の位置に予め設けることができ、且つこれらの取付位置を設計に従って所要の精度を以て形成することができることになる。
そして、この部品の取付部は補強材の取付部として設けることでもあり、従って補強材はこの取付部を足場にして内枠本体の定位置に簡単に組付けることができ、一体化を図ることによって補強することができる。
【００２１】
また本発明に係る内枠によれば、合成樹脂製の内枠本体に対して別体に金属材によって形成される上下のヒンジ部材を所定の取付位置に固定できると同時に、補強材を介して内枠本体の左辺部全体で支持する構造とすることから一部に負荷が作用することなく安定した固定が得られることになる。
【００２２】
そして同時に、上下のヒンジ部材は内枠本体に固定される補強材によって一体に連結されることから、両ヒンジ部材間の間隔は一定に保たれることになり、外枠に備えるヒンジ部材に組付ける際、位置ずれによって連結不能になる等の不具合を未然に解消できることになる。
次に、本発明の内枠につき実施の形態に基づいて更に詳述し、その特徴とするところを明らかにする。
【発明を実施するための最良の形態】
【００２３】
図面は、本発明に係るパチンコ遊技機の内枠を示す一実施例である。図１は内枠の背面図であり、図２左側面図、図３は内枠本体から補強材及びヒンジ部材を外した状態を示す斜視図であり、図４は内枠本体に組付ける部品類を除くと共に補強材及びヒンジ部材を取り外した状態を示す斜視図である。
図示するように内枠本体１は、額縁形に形成される主体部２とこの主体部２の背面に一体に形成される遊技盤収納部３を主要部分として構成されてあり、ここでは更に上記遊技盤収納部３の背面部に後述する部品類を装着するための取付枠部４を備える。
【００２４】
上記内枠本体１は、額縁形をなす主体部２を中心にして２段の浅い箱形をなす遊技盤収納部３、そして取付枠部４を合成樹脂を材料に射出成形によって一体に形成し、上記遊技盤収納部３の前方の部屋３ａに遊技盤（図示せず）を収め、部屋の内側側壁部に備える係止具（図示せず）によってこれを係脱自由に止め付けるようにしてある。
【００２５】
遊技盤収納部３の後方の部屋３ｂは、上記遊技盤の背面に設けるセーフ球を集めるセット板が臨む部屋である。
このため、前記部屋３ａは遊技盤が収まる幅と奥行きに、そして部屋３ｂはセット板や入賞装置、画像表示装置等の背面部が収まる空間として形成されることになる。
尚、前記前方の部屋３ａの下方の空部は発射する打球の供給装置や発射装置の杆先が臨む部屋となる。
【００２６】
図中５及び６は、本発明に係る内枠を図示しない外枠に枢着支持するための上のヒンジ部材と下のヒンジ部材であり、７は補強材である。
上のヒンジ部材５及び下のヒンジ部材６は金属板（鉄板）をＬ字形に折曲げ形成してあり、上のヒンジ部材５の一片は取付片５ａとしてこれには止めねじ８を通す取付孔９が設けてあり、他片の枢着片５ｂには外枠に設けるヒンジ部材に枢着するための軸１０が立ち上げてある。
一方、下のヒンジ部材６はその一方の片を取付片６ａとしてこれに止めねじ８を通す取付穴１１を穿つと共に、他方の枢着片６ｂには軸受孔１２を形成している。そして、取付片６ａの上縁からは枢着片６ｂに並行させて小突片６ｃを延設し、その先端に球受皿（図示せず）を枢着する軸受孔１３を形成している。
【００２７】
一方、前記補強材７は、帯状の金属板をプレス成形によって曲成したものにしてあり、前記内枠本体１の左辺部上下に設けるヒンジ部材５，６を取付ける取付部１４，１５の間隔に合せた長さに形成してその上下両端部には連結補強片１６，１７を延設し一体に設けてある。
この実施例における補強板７は、帯状をなす鉄板の両側縁部を互いに逆向きとなるよう直角に折曲げ、断面がクランク状をなすように曲成してあり、主片部７ａから折曲げられた一方の折曲片７ｂには前記内枠本体１にねじ止めする際の取付孔１８が適宜の間隔を置いて複数個開設してある。
【００２８】
上記連結補強片１６，１７を更に詳述すると、主片部７ａから直角に折曲る片１９，２０を介して更に直角に折曲げられてこの主片部７ａの平面方向に対して片の向きが直角の向きとなるようにしてある。そして、この連結補強片１６，１７は前記上下のヒンジ部材５，６の各取付片５ａ，６ａに合せた形状に形成して、それぞれにはこれら取付片５ａ，６ａに設けた前記取付孔９，１１に合せて止めねじ８を通す取付孔２１，２２が位置及び数を合せて形成してある。
【００２９】
前記上下の取付部１４，１５は、鍔形に張り出す主体部２の左辺部背面の上下端部に設けてあり、内枠本体１を合成樹脂によって成形するとき一体に形成することになる。
この取付部１４，１５は、ここではリブを立ち上げることによってその頂部の組合せによって形成してあり、リブの先端を垂直な平面に揃えて前記ヒンジ部５，６の取付片を接面できるようにしてある。そして、この取付部１４，１５には各ヒンジ部材の取付片５ａ，６ａに開設する取付孔９，１１に合せてリブの頂部に止めねじ８を受けるねじ受け孔２３，２４を設けてある。
【００３０】
前記上下のヒンジ部材５，６の取付けは、前記取付部１４，１５に先ず前記取付片５ａ，６ａ添わせてその上から補強材７の上下の連結補強片１６，１７を添わせ、これらを重ね合せにしたところで、連結補強片に穿つ取付孔２１，２２に止めねじ８を通し、更にこの止めねじ８を取付片５ａ，６ａの取付孔９，１１に通して前記取付部１４，１５に設けるねじ受け孔２３，２４にねじ付けることによって行うことになる。
【００３１】
この取付けによって上のヒンジ部材５は、主体部２の背面側の取付部１４に固定され、その枢着片５ｂをこの主体部２の上縁を越えて前方に突き出す。そして、同様に取付部１５に固定される下のヒンジ部材６はその枢着片６ｂを主体部の下縁を越えて前方に突き出すことになり、それぞれに設ける軸１０と、軸受孔１２を主体部左辺の前面側に沿って描かれる仮想の垂線上に揃うことになる。
尚、この軸１０と軸受孔１２とは図示しない外枠の左縦枠の上下に備えるヒンジ部材の軸受孔並びに軸に結合して回動自由に枢着することになり、この外枠に対して内枠本体１を開閉自由に支持することになる。
【００３２】
次に、上記止めねじ８による上下のヒンジ部材５，６の固定に併せて内枠本体１の左辺部側面に添って補強材７を固定することになる。
補強材７は、上記左辺部側面の形状に適合するように前述した如く断面クランク状に形成してあることから、このうちの主片部７ａを遊技盤収納部３の前面側の部屋３ａの側面に添わせ、併せて折曲片７ｂをこの側面に続く背面側に添わせて密着させ、更にこの折曲片７ｂに設ける取付孔１８を通して上記背面側に予め形成して置くねじ受け孔２５に止めねじ２６を揉み込んでこれを一体に固着することになる。
【００３３】
上記取付孔１８、ねじ受け孔２５は図示するように補強材７の長さに沿って複数個設けてあり、補強材の全体が内枠本体１の左辺部に密着して上下の全体に亘りしっかり補強することができるようになっている。更にこの補強材７は前述したように上下の連結補強片１６，１７を上下のヒンジ部材５，６と共に取付部１４，１５に対して一体にねじ止めすることから内枠本体１に対して強固に固着され一体化することになる。
【００３４】
内枠本体１の取付部１４，１５にねじ止めされるヒンジ部材５，６はこの取付部１４，１５にしっかり固定されると同時に、背面に添わせた補強材７の連結補強片１６，１７と一体に結合するによってこの補強材７に対しても固定され、且つ上下のヒンジ部材５，６はこの補強材７を介して連結し、一体化することになる。
この様なことから、上記ヒンジ部材５，６は合成樹脂で作られる内枠本体１の取付部１４，１５に固定されながら実質的には金属製の補強材７に設ける連結補強片１６，１７に裏打ちされ補強されることになり、更にこの補強材７が止めねじ２６によって内枠本体１の左辺部の全体に固着されることから取付部１４，１５が設けられる部分に固着されるに止まらず、広い範囲に亘る固定が実現し、固着の安定化が図られることになる。
【００３５】
その一方、上下のヒンジ部材５，６はこの補強材７の上下の連結補強片１６，１７に固定されることにより、この補強材７を介して一体に連結し、両者の間隔が一定になることから、仮に内枠本体１が成形時の熱収縮によって左辺部の上下の長さにバラ付きを生ずることがあっても外枠に備える上下のヒンジ部材間の間隔と一致させることができ、従って外枠に内枠をヒンジ部材を介して連結組付ける際、位置づれから組付け不能になったり、不良となることが回避されることになる。
【００３６】
図面における符号２７は遊技盤収納部３の背面上部に固定した貯留タンクであり、２８は貯留タンク２７からの賞球を払出制御装置からの指示に従って放出する払出装置ユニットであり、２９は賞球樋、３０は払出制御装置の基盤ユニット、３１は裏カバーユニット、３２は施錠装置である。
【００３７】
尚、上記施錠装置３２は帯状の鉄板を断面Ｌ字形に折曲げて形成した取付板３３をベースにこの取付板３３の一方の片３３ａに前記外枠に設けるロック片に係止する係止片３４，３４、そして、この上下の係止片３４，３４を連動操作する連動杆３５、この連動杆３５を牽引して常時上記係止片３４を係合姿勢に付勢するばね３６、内枠本体２の前面側に設けられる図示しない前扉を掛け止める係止片３７，３７、この係止片３７，３７を連結する連動杆３８、及びこの係止片３７を係合姿勢に付勢するばね３９を備える。
一方、他方の片３３ｂには上記連動杆３５，３８をそれぞればね３６，３９の付勢に抗して操作し、係止片３４，３７をそれぞれ解錠方向に揺動させるシリンダ形の錠４０が取付く。
【００３８】
この施錠装置３２は取付板３３を金属板にしてその一方の片３３ｂを止めねじ４１によって前記内枠本体１の主体部２の右辺部背面に固定することから内枠本体の左辺部を補強するものとなり、前記左辺部の補強材７と協同して内枠本体１を補強することになる。
【００３９】
以上説明の様に、本発明は内枠の本体部分を構成する内枠本体１を合成樹脂を材料に一体形成し、これによって内枠に求められる略全体の機能部分を備えることになる一方、この合成樹脂を材料とすることによって不足する強度を補強材７によって補強し、且つこの補強を通して左辺部上下に設備する上下のヒンジ部材５，６をその連結補強片１６，１７を添わせて補強する構造としたことから最も内枠の重量が集中する内枠の左辺部、取り分けこの左辺部の上下に設備される上下のヒンジ部が補強されることになり、合成樹脂を材料としたときの強度不足を有効に回避することができるものとなっている。
【００４０】
そして、上記補強材７は上下の連結補強片１６，１７によって上下のヒンジ部材５，６の位置を確定すると同時に、この補強材７はヒンジ部材５，６の取付けのための止めねじ８のねじ付けによってヒンジ部材相互の連結に併せて固定することができることから効率的に組付けることができ、その製造を容易にする。
【図面の簡単な説明】
【００４１】
【図１】本発明に係る内枠の背面図。
【図２】内枠の左側面図。
【図３】内枠本体から補強材及びヒンジ部材、施錠装置を外した状態を示す斜視図。
【図４】内枠本体に組付ける部品類を除くと共に、補強材及びヒンジ部材、施錠装置を外した状態の斜視図である。
【符号の説明】
【００４２】
１            内枠本体
２            主体部
３            遊技盤収納部
５            上のヒンジ部材
５ａ          上のヒンジ部材の取付片
６            下のヒンジ部材
６ａ          下のヒンジ部材の取付片
７            補強材
８，２６      止めねじ
９，１１      取付孔
１０          軸
１２          軸受孔
１４，１５    内枠本体のヒンジ部材の取付部
１６，１７    補強材の上下端部に一体に設ける連結補強片
１８          取付孔
２１，２２    取付孔
２３，２４，２５    ねじ受け孔
３２          施錠装置
【図１】
2007229045.tif 000003
【図２】
2007229045.tif 000004
【図３】
2007229045.tif 000005
【図４】
2007229045.tif 000006